(57)【要約】【課題】番組予約情報に従って録画した番組の画質等が良好でなかった場合でも、良好な画質で録画された番組を取得できる。【解決手段】無線ＬＡＮ通信部は、入力部から入力された番組予約情報を携帯端末に送信する。携帯端末は、受信した番組予約情報に従って番組の録画に成功したか否かを示す録画成否情報を、録画装置に送信する。録画装置は、受信した録画成否情報が失敗したことを示す場合に、制御部が録画した番組のデータの少なくとも一部を携帯端末に送信する。【選択図】図４
2008219725.tif 000002
【特許請求の範囲】
【請求項１】
番組の放送波を受信して復調するチューナと、
番組の録画を予約するための番組予約情報を入力する予約情報入力手段と、
前記予約情報入力手段により入力された番組予約情報に従って、前記チューナが復調した番組を録画する録画手段と、
番組を録画する機能と番組の録画を予約する機能とを有する携帯型電子装置と通信する通信手段と、
前記録画手段と前記通信手段とを制御する制御手段と、を備え、
前記制御手段は、
前記予約情報入力手段により番組予約情報が入力された場合に、該入力された番組予約情報を前記通信手段から前記携帯型電子装置へ送信させて、
前記送信させた番組予約情報に従って該携帯型電子装置が番組の録画に成功したか否かを示す録画成否情報を、該携帯型電子装置から前記通信手段を介して取得して、
前記取得した録画成否情報が失敗したことを示す場合に、前記録画手段が録画した番組のデータの少なくとも一部を前記通信手段から前記携帯型電子装置へ送信させる、
ことを特徴とする録画装置。
【請求項２】
前記録画手段が録画した番組のデータを削除する番組削除手段、を更に備え、
前記通信手段が該携帯型電子装置から受信した録画成否情報が番組の録画に成功したことを示す場合に、前記番組削除手段は、前記録画成否情報に係る番組のデータを削除する、ことを特徴とする請求項１に記載の録画装置。
【請求項３】
前記通信手段が通信する通信先と、該通信先へ該通信手段により送信された情報と、を対応付けて記憶する対応付情報記憶手段、を更に備え、
前記対応付情報記憶手段は、前記通信手段により番組予約情報が前記携帯型電子装置に送信された場合に、該携帯型電子装置と該番組予約情報とを対応付けて記憶する、ことを特徴とする請求項１に記載の録画装置。
【請求項４】
前記通信手段により番組予約情報を送信した携帯型電子装置に、該番組予約情報に従った番組の録画が可能か否かを問い合わせる録画可否問合せ手段、を更に備え、
前記対応付情報記憶手段は、前記録画可否問合せ手段の問合せに応答して前記携帯型電子装置が録画不可能であると通知した場合には、該携帯型電子装置に対応する録画予約情報を削除する、ことを特徴とする請求項３に記載の録画装置。
【請求項５】
前記予約情報入力手段により入力された番組予約情報に従って、前記録画手段が番組を録画できるか否かを判別する録画可否判別手段、を更に備え、
前記録画可否判別手段により録画できると判別されたときに、前記録画手段は、前記予約情報入力手段により入力された番組予約情報に従って番組を録画する、ことを特徴とする請求項１に記載の録画装置。
【請求項６】
前記予約情報入力手段により入力された番組予約情報に従った番組の録画を前記録画装置又は前記携帯型電子装置のいずれに実行させるかを選択する選択手段、を更に備え、
前記選択手段により携帯型電子装置が選択された場合、前記制御手段は、前記通信手段に、前記入力手段により入力された番組予約情報を該選択された携帯型電子装置へ送信させる、ことを特徴とする請求項１乃至５のいずれか１項に記載の録画装置。
【請求項７】
前記通信手段との通信が可能な携帯型電子装置を探索する装置探索手段と、
前記装置探索手段により探索して検出した携帯型電子装置が、録画機能と録画予約機能とを備えているか否かを判別する機能有無判別手段と、を更に備え、
前記機能有無判別手段により備えていると判別されたときに、前記制御手段は、前記通信手段に、前記入力手段により入力された番組予約情報を該判別された携帯型電子装置へ送信させる、ことを特徴とする請求項１に記載の録画装置。
【請求項８】
前記通信手段により番組予約情報を送信した携帯型電子装置に、該番組予約情報に従った番組の録画が可能か否かを問い合わせる録画可否問合せ手段、を更に備え、
前記装置探索手段の探索により前記通信手段との通信が可能な携帯型電子装置が検出されたときに、前記録画可否問合せ手段は、該検出された携帯型電子装置に番組の録画が可能か否かを問い合わせる、ことを特徴とする請求項７に記載の録画装置。
【請求項９】
前記予約情報入力手段により入力された番組予約情報に従った番組の録画を前記録画装置又は前記携帯型電子装置のいずれに実行させるかを選択する選択手段、を更に備え、
前記選択手段により録画装置が選択されて、かつ、前記録画可否問合せ手段の問合せに応答して前記携帯型電子装置が録画可能であると通知した場合において、前記録画手段による番組の録画が失敗したときに、前記制御部は、前記通信手段を介して、前記携帯型電子装置が録画した番組データの少なくとも一部を送信するよう該携帯型電子装置に要求する、ことを特徴とする請求項８に記載の録画装置。
【請求項１０】
前記予約情報入力手段により入力された番組予約情報を記憶する予約情報記憶手段と、
前記予約情報記憶手段に記憶されている番組予約情報を変更する予約情報変更手段、を更に備え、
前記制御手段は、前記通信手段が前記携帯型電子装置に送信した番組予約情報が該携帯型電子装置により変更されたときに、前記通信手段に該変更された番組予約情報を該携帯型電子装置から受信させて、
前記予約情報変更手段は、前記通信手段により受信された番組予約情報と前記予約情報記憶手段に記憶されている番組予約情報とが一致するように、該予約情報記憶手段に記憶されている番組予約情報を変更する、ことを特徴とする請求項１乃至９のいずれか1項に記載の録画装置。
【請求項１１】
前記予約情報入力手段により入力された番組予約情報を記憶する予約情報記憶手段と、
前記予約情報記憶手段に記憶されている番組予約情報を削除する予約情報削除手段、を更に備え、
前記制御手段は、前記通信手段が前記携帯型電子装置に送信した番組予約情報が該携帯型電子装置により削除されたときに、該通信手段に該削除された番組予約情報を該携帯型電子装置から受信させて、
前記予約情報変更手段は、前記通信手段により受信された番組予約情報に対応する前記予約情報記憶手段に記憶されている番組予約情報を削除する、ことを特徴とする請求項１乃至１０のいずれか１項に記載の録画装置。
【請求項１２】
番組の放送波を受信して復調するチューナと、
番組を録画する機能と番組の録画を予約する機能とを有する録画装置と通信する通信手段と、
前記通信手段により前記録画装置から受信した番組予約情報を記憶する予約情報記憶手段と、
前記予約情報記憶手段に記憶されている番組予約情報に従って、前記チューナが復調した番組を録画する録画手段と、
前記録画手段と前記通信手段とを制御する制御手段と、を備え、
前記制御手段は、
前記録画装置から受信した番組予約情報に従って前記録画手段が番組の録画に成功したか否かを示す録画成否情報を、前記通信手段から該録画装置へ送信させて、
前記送信させた録画成否情報が番組の録画に失敗したことを示す場合に、前期通信手段を介して、該番組のデータの少なくとも一部を前記録画装置から取得する、
ことを特徴とする携帯型電子装置。
【請求項１３】
前記予約情報記憶手段に記憶されている番組予約情報を変更する予約情報変更手段、を更に備え、
前記通信手段は、前記予約情報変更手段により番組予約情報が変更された場合に、該変更された番組予約情報を前記録画装置に送信する、ことを特徴とする請求項１２に記載の携帯型電子装置。
【請求項１４】
前記予約情報記憶手段に記憶されている番組予約情報を削除する予約情報削除手段、を更に備え、
前記制御手段は、前記予約情報削除手段により番組予約情報が削除された場合に、前記通信手段に該削除された番組予約情報を前記録画装置へ送信させる、ことを特徴とする請求項１２に記載の携帯型電子装置。
【請求項１５】
前記予約情報記憶手段の番組予約情報を照合して、前記通信手段が前記録画装置から受信した番組予約情報に従って前記録画手段による番組の録画が可能か否かを判別する録画可否判別手段、を更に備え、
前記制御手段は、前記録画装置による問合せに応答して、前記通信手段に前記録画可否判別手段による判別結果を該録画装置へ通知させる、ことを特徴とする請求項１２乃至１４のいずれか1項に記載の携帯型電子装置。
【請求項１６】
前記録画可否判別手段は、前記録画装置による番組の録画の要求に応答して、前記録画手段による番組の録画が可能か否かを判別して、
前記録画手段は、前記録画可否判別手段により録画可能であると判別された場合に、該録画装置から録画が要求された番組を録画する、ことを特徴とする請求項１５に記載の携帯型電子装置。
【請求項１７】
前記録画手段により録画された番組のデータを削除する番組削除手段、を更に備え、
前記録画装置から番組録画要求依頼に応じて録画した番組のデータを削除するよう該録画装置から要求された場合には、該要求に応答して番組のデータを削除する、ことを特徴とする請求項１２に記載の携帯端末。
【請求項１８】
番組の放送波を受信して復調するチューナと、番組の録画を予約するための番組予約情報を入力する予約情報入力手段と、番組を録画する録画機能と番組の録画を予約する番組録画予約機能とを有する携帯型電子装置と通信する通信手段と、を備えるコンピュータに、
前記予約情報入力手段により入力された番組予約情報を、前記通信手段から前記携帯型電子装置へ送信させる予約情報送信ステップと、
前記予約情報入力手段により入力された番組予約情報に従って、前記チューナが出力した番組を録画する録画ステップと、
前記予約情報送信ステップにて送信された番組予約情報に従って該携帯型電子装置が実行した番組録画の成功又は失敗を示す録画成否情報を、前記通信手段を介して該携帯型電子装置から取得する録画成否情報取得ステップと、
前記録画成否情報取得ステップにて取得した録画成否情報が番組録画の失敗を示す場合に、前記録画ステップにて録画した番組のデータの少なくとも一部を前記通信手段から前記携帯型電子装置に送信させる番組送信ステップと、
を実行させるためのプログラム。
【請求項１９】
番組の放送波を受信して復調するチューナと、番組を録画する機能と番組の録画を予約する機能とを有する録画装置と通信する通信手段と、前記通信手段により前記録画装置から受信した番組予約情報を記憶する予約情報記憶手段と、を備えるコンピュータに、
前記録画装置から送信された番組の録画を予約するための番組予約情報を前記通信手段に受信させる予約情報受信ステップと、
前記予約情報受信ステップにて受信した番組予約情報に従って、前記チューナが出力した番組を録画する録画ステップと、
前記録画ステップにおける番組の録画が成功したか否かを示す録画成否情報を、前記通信手段から該録画装置へ送信させる録画成否情報送信ステップと、
前記録画成否情報送信ステップにて送信した録画成否情報が番組の録画に失敗したことを示す場合に、前期通信手段を介して、該番組のデータの少なくとも一部を前記録画装置から取得する番組取得ステップと、
を実行させるためのプログラム。
【発明の詳細な説明】
【技術分野】
【０００１】
本発明は、番組予約録画情報に応じて、予約された番組を録画可能な録画装置、携帯型電子装置、プログラムに関する。
【背景技術】
【０００２】
チューナにより受信した番組の録画を予約できる録画装置が存在する。
これらの録画装置は、リアルタイムに番組を録画しない限り、録画開始時刻、録画終了時刻、番組が送信されるチャネル、等の番組の録画を予約するための情報（以下、「番組予約情報」という）を設定しておいて、番組を録画する。
【０００３】
特許文献１は、１つの機器の操作により複数の録画装置に番組予約情報を送信して、複数の録画機器への番組の録画予約を設定できる携帯端末装置、を開示する。
【０００４】
また、特許文献２は、１つの録画装置に録画の予約を設定して、その予約に基づいて録画した番組を他の装置に転送する番組録画システム、を開示する。
【特許文献１】特開２００５−１９７８４０号公報
【特許文献２】特開２００５−２１７８４６号公報
【発明の開示】
【発明が解決しようとする課題】
【０００５】
録画装置は、停電等により動作用の電力が供給されていない間、予約されている番組の録画を行うことができない。
【０００６】
本発明は、上記問題点に鑑みてなされたものであり、番組予約情報に従った番組の録画が不良・不能であった場合でも、良好に録画された番組を取得できる録画装置を提供することを第１の目的とする。
【０００７】
また、録画機能を備えた携帯端末は、番組予約情報に従って番組を録画した場合でも、携帯型電子装置が位置する場所の電波受信状況によっては録画した番組の画質等が良好でないおそれがある。
【０００８】
本発明は、上記問題点に鑑みてなされたものであり、番組予約情報に従った番組の録画が不良・不能であった場合でも、良好に録画された番組を取得できる携帯型電子装置を提供することを第２の目的とする。
【課題を解決するための手段】
【０００９】
上記課題を解決するため、本発明における録画装置は、
番組の放送波を受信して復調するチューナと、
番組の録画を予約するための番組予約情報を入力する予約情報入力手段と、
前記予約情報入力手段により入力された番組予約情報に従って、前記チューナが復調した番組を録画する録画手段と、
番組を録画する機能と番組の録画を予約する機能とを有する携帯型電子装置と通信する通信手段と、
前記録画手段と前記通信手段とを制御する制御手段と、を備え、
前記制御手段は、
前記予約情報入力手段により番組予約情報が入力された場合に、該入力された番組予約情報を前記通信手段から前記携帯型電子装置へ送信させて、
前記送信させた番組予約情報に従って該携帯型電子装置が番組の録画に成功したか否かを示す録画成否情報を、該携帯型電子装置から前記通信手段を介して取得して、
前記取得した録画成否情報が失敗したことを示す場合に、前記録画手段が録画した番組のデータの少なくとも一部を前記通信手段から前記携帯型電子装置へ送信させる、
ことを特徴とする。
【００１０】
上記課題を解決するため、本発明における携帯型電子装置は、
番組の放送波を受信して復調するチューナと、
番組を録画する機能と番組の録画を予約する機能とを有する録画装置と通信を行う通信手段と、
前記通信手段により前記録画装置から受信した番組予約情報を記憶する予約情報記憶手段と、
前記予約情報記憶手段に記憶されている番組予約情報に従って、前記チューナが復調した番組を録画する録画手段と、
前記録画手段と前記通信手段とを制御する制御手段と、を備え、
前記制御手段は、
前記録画装置から受信した番組予約情報に従って前記録画手段が番組の録画に成功したか否かを示す録画成否情報を、前記通信手段から該録画装置へ送信させて、
前記送信させた録画成否情報が番組の録画に失敗したことを示す場合に、前期通信手段を介して、該番組のデータの少なくとも一部を前記録画装置から取得する、ことを特徴とする。
【００１１】
また、コンピュータに対して本発明の主要機能を実行させるためのプログラムを提供する。
【発明の効果】
【００１２】
本発明によれば、録画装置又は携帯端末により行われる番組予約情報に従った番組録画が不良・不能であった場合でも、良好に録画された番組を取得できる。
【発明を実施するための最良の形態】
【００１３】
以下、本発明の実施形態に係る録画装置及び携帯型電子装置について説明する。
本実施形態では、録画装置として録画装置１を適用し、携帯型電子装置として携帯端末２を適用する。
本実施形態は、ユーザが入力した番組の録画の予約に従って、録画装置１と携帯端末２との双方により番組を録画する（以下、「バックアップ録画」という）例である。
【００１４】
先ず、図１を参照して、本実施形態に係る録画装置１の構成について説明する。
録画装置１は、図１に示す回路構成のように、制御部１１、チューナ１２、無線ＬＡＮ（Local Area Network）通信部１３、入力部１４、記憶部１５、表示部１６、音声出力部１７、バス１８、を備える。
録画装置１は、ユーザの要求に応じて、チューナ１２により受信した放送波に含まれる番組を録画したり、録画した番組を再生したりすることが可能である。
【００１５】
以下、録画装置１が備える各構成要素について説明する。
制御部１１は、ＣＰＵ（Central Processing Unit）から構成され、記憶部１５に格納された動作プログラムに従って、録画装置１の全体的な動作、即ち、チューナ１２、無線ＬＡＮ通信部１３、入力部１４、記憶部１５、表示部１６、音声出力部１７、を制御する。
例えば、入力部１４から入力された番組予約情報に従って番組を録画したり、録画した番組を再生したりする。
【００１６】
また、制御部１１はタイマ（図示せず）を備える。タイマは、現在の時刻を計時して、所定の時刻が経過したか否かを判別する。
例えば、タイマにより番組の録画開始が予約されている時刻（以下、「録画開始時刻」という）に達したことが検出されたときに、制御部１１は番組の録画を開始する。
また、タイマにより番組の録画終了が予約されている時刻（以下、「録画終了時刻」という）に達したことが検出されたときに、制御部１１は番組の録画を終了する。
【００１７】
チューナ１２は、アンテナ１２１を介して番組データを含む放送波を受信して、受信した放送波を復調して、番組データに対応する信号を制御部１１に出力する。
【００１８】
無線ＬＡＮ（Local Area Network）通信部１３は、無線ＬＡＮ（Wireless Local Area Network）通信を行うデバイスから構成され、アンテナ１３１を介して、ＩＥＥＥ（the Institute of Electrical and Electronic Engineers）８０２．１１ｂ規格等の無線ＬＡＮ（Local Area Network）通信システムを利用して無線によりデータ通信を行う。
【００１９】
例えば、無線ＬＡＮ通信部１３は、記憶部１５に記憶されている番組データ、入力部１４から入力された番組予約情報、等を携帯端末２へ送信する。
以下、番組予約情報を受信して、番組予約情報に従って番組を録画する受信先の端末（本実施形態では携帯端末２）を「バックアップ録画先」と称する。
また、番組予約情報をバックアップ録画先に送信すると共に、送信した番組予約情報に従って自らも番組の録画を実行する送信元（本実施形態では録画装置１）を「録画元」と称する。
【００２０】
また、無線ＬＡＮ通信部１３は、送信した番組予約情報に基づいて番組を録画する予約ができたか否かを示す予約成否情報、番組予約情報に従った番組の録画に成功したか否かを示す録画成否情報、等をバックアップ録画先である携帯端末２から受信する。
【００２１】
更に、無線ＬＡＮ通信部１３は、自己と通信が可能な端末を検出するための端末探索用の信号（以下、「端末探索信号」という）を送信する機能を有する。
出力部１６は、無線ＬＡＮ通信部１３の探索により検出された端末をバックアップ録画先の候補として出力する。
【００２２】
入力部１４は、赤外線リモートコントローラによる赤外線発光信号を受信する赤外線受光部、キー入力を受け付けるキーパッド、等から構成されており、ユーザの操作に応答した指示信号を制御部１１に出力する。
例えば、入力部１４は、番組の録画・再生の指示、番組予約情報の設定、番組予約メニューの起動又は停止の指示、等を、赤外線受光部又はキーパッドを介してユーザから受け付けて、制御部１１や記憶部１５へと出力する。
【００２３】
また、ユーザは入力部１４を介して、録画元とする機器、バックアップ録画先とする機器、を指示選択することが可能である。
本実施形態では、録画元として録画装置１、バックアップ録画先として携帯端末２、が選択されたものとする。即ち、ユーザにより入力された番組予約情報は、録画装置１から携帯端末２へと送信される。
【００２４】
記憶部１５は、ハードディスク等の大容量のストレージから構成されており、任意のデータを記憶する。
例えば、無線ＬＡＮ通信部１３が携帯端末２から受信した番組予約情報、チューナ１２で受信した番組を制御部１１が録画した番組データ、無線ＬＡＮ通信部１３が携帯端末２から受信した番組データ、等を記憶する。
【００２５】
また、記憶部１５は、入力部１４を介してユーザから入力された番組予約情報を記憶する。
番組予約情報は、図３に示すように、番組の送信されるチャネル、録画開始時刻、録画終了時刻、を含む。例えば、図３において上から３行目の番組予約では、１２チャネルで送信される番組を、２０：５５：００になったときに録画を開始して、２１：００：００になったときに録画を終了するように設定されている。
なお、図３では録画開始時刻及び録画終了時刻には、時分秒で表した時刻のみを記載しているが、録画を開始及び終了する日時を含んでいてもよい。
【００２６】
更に、番組予約情報は、番組の録画がバックアップ録画先でも実行される場合には、無線ＬＡＮ通信部１３により番組予約情報を送信された携帯端末と、番組予約と、を対応付けている。
例えば、図３において上から２行目及び４行目の番組予約では、バックアップ録画先として携帯端末２が設定されている。これらの番組予約が示す録画開始時刻になったときに、録画装置１及び携帯端末２の双方により各チャネルで送信されている番組の録画が開始される。
なお、バックアップ録画先による番組の録画を行わない番組予約では、バックアップ録画先の項目が空欄になっている。
【００２７】
表示部１６は、画面を表示するためのディスプレイ（図示せず）に外部接続されており、任意のデータを表示するための表示信号を画面に出力する。
例えば、記憶部１５に記憶された番組データを制御部１１が再生したとき、番組データに対応する映像を外部のディスプレイへ出力する。また、記憶部１５が記憶している番組予約情報や、入力部１４により入力された情報を外部のディスプレイ（図示せず）へ出力する。
【００２８】
次に、図２を参照して、本実施形態に係る携帯端末２の構成について説明する。
【００２９】
携帯端末２は、図２に示す回路構成のように、制御部２１、チューナ２２、無線ＬＡＮ（Local Area Network）通信部２３、入力部２４、記憶部２５、表示部２６、音声出力部２７、バス２８、を備える。
携帯端末２は、ユーザの要求に応じて、チューナ２で受信した放送波に含まれる番組を録画したり、録画した番組を再生したりすることが可能である。
【００３０】
制御部２１は、ＣＰＵ（Central Processing Unit）から構成され、記憶部２５に格納された動作プログラムに従って、携帯端末２の全体的な動作、即ち、チューナ２２、無線ＬＡＮ通信部２３、入力部２４、記憶部２５、表示部２６、音声出力部２７、を制御する。
例えば、録画装置１から受信した番組予約情報に従って番組を録画したり、録画した番組を再生したりする。
【００３１】
また、制御部２１はタイマ（図示せず）を備える。タイマは、現在の時刻を計時して、所定の時刻が経過したか否かを判別する。
例えば、タイマにより番組の録画開始時刻に達したことが検出されたときに、制御部２１は番組の録画を開始する。また、タイマにより番組の録画終了時刻に達したことが検出されたときに、制御部２１は番組の録画を終了する。
【００３２】
チューナ２２は、アンテナ２２１を介して番組データを含む放送波を受信して、受信した放送波を復調して、番組データに対応する信号を制御部２１に出力する。
【００３３】
無線ＬＡＮ（Local Area Network）通信部２３は、無線ＬＡＮ（Wireless Local Area Network）通信を行うデバイスから構成され、アンテナ２３１を介して、ＩＥＥＥ（the Institute of Electrical and Electronic Engineers）８０２．１１ｂ規格等の無線ＬＡＮ（Local Area Network）通信システムを利用して無線によりデータ通信を行う。
【００３４】
例えば、無線ＬＡＮ通信部２３は、番組予約情報を録画装置１から受信する。
また、無線ＬＡＮ通信部２３は、録画装置１から受信した番組予約情報に基づいて番組の録画を予約できたか否かを示す予約成否情報、番組予約情報に従った番組の録画に成功したか否かを示す録画成否情報、等を録画装置１に送信する。
更に、無線ＬＡＮ通信部２３は、録画装置１からの要求に応答して、記憶部２５に記憶されている番組データの一部又は全部を録画装置１に送信する。
【００３５】
入力部２４は、ユーザからのキー入力を受け付けるキーパッドから構成されており、ユーザからの入力に応答した指示信号を制御部２１に出力する。
例えば、番組の録画又は再生の指示、番組を録画する予約の削除又は変更の指示、等をユーザから受け付けて、指示信号を制御部２１へ出力する。
【００３６】
記憶部２５は、ＲＯＭ（Read Only Memory）、ＲＡＭ（Random Access Memory）、フラッシュメモリ、等から構成されており、プログラム、音声、映像、その他のユーザデータ、等を記憶する。
例えば、無線ＬＡＮ通信部２３により受信された番組予約情報、入力部２４を介して変更された番組予約情報、チューナ２２により受信された番組データ、等を記憶する。
また、記憶部２５は、制御部２１のワーキングメモリとして機能する。
なお、プログラム等は、無線ＬＡＮ通信部２３により通信ネットワークを介して接続された他の機器から受信してＲＡＭ、フラッシュメモリ等に記憶する構成にしてもよく、さらに、通信ネットワークを介して接続された他の機器側に記録媒体を備えた記憶装置を設け、この記録媒体に記憶されるプログラム、データ等を通信ネットワークを介して取得しＲＡＭ、フラッシュメモリ等に記憶する構成としてもよい。
【００３７】
表示部２６は、ドットマトリクスタイプのＬＣＤ（Liquid Crystal Display：液晶表示）パネルとドライバ回路等から構成され、メール、ウェブ、基本操作画面等の任意の画像を表示する。また、メイン画面・サブ画面等の複数の表示画面を備えていても構わない。
例えば、表示部２６は、記憶部２５に記憶されている番組データを制御部２１が再生した際の番組の映像、記憶部２５に記憶されている番組予約録画情報、入力部２４が受け付けた入力情報、等を表示する。
【００３８】
音声出力部２７は、スピーカ等から構成されており、復調された音声信号を出力する。例えば、録画された番組が制御部１１により再生された際の番組の音声を出力する。
バス２８は、制御部２１、チューナ２２、無線ＬＡＮ通信部２３、入力部２４、記憶部２５、表示部２６、音声出力部２７、の間で相互にデータを伝送する。
【００３９】
以下、図３乃至８を参照して、上記構成を備える録画装置１及び携帯端末２により、番組予約情報に従って番組を録画する動作について説明する。
【００４０】
先ず、図４を参照して、ユーザが録画装置１及び携帯端末２のどちらにより番組の録画を実行するか制御する動作について説明する。
【００４１】
ユーザが入力部１４を用いて録画予約の設定を開始することにより図４のフローの処理が起動されると、制御部１１は、通信可能携帯端末探索処理（ステップＳ１）を実行する。
【００４２】
通信可能携帯端末探索処理（ステップＳ１）では、無線ＬＡＮ通信部１３は、無線ＬＡＮにより通信の可能な携帯端末を探索するために、端末探索信号を送信する。
【００４３】
記憶部１５は、端末探索信号に応答した携帯端末を特定する端末特定情報を記憶部１５に記憶する。
また、出力部１６は、記憶部１５の端末特定情報により特定される携帯端末を、無線ＬＡＮ通信部１３との通信が可能な携帯端末として、外部接続されたディスプレイ（図示せず）へと出力する。
通信可能携帯端末探索処理（ステップＳ１）が完了すると、制御部１１は、処理を録画予約情報設定処理（ステップＳ２）に移す。
【００４４】
録画予約情報設定処理（ステップＳ２）では、先ず、制御部１１は、入力部１４を介してユーザから入力された録画予約情報を受け取る。
録画予約情報を受け取ると、処理を希望録画先判別処理（ステップＳ３）に移す。
【００４５】
希望録画先判別処理（ステップＳ３）では、制御部１１は、ユーザが希望する録画先は録画装置１、又は、通信可能携帯端末探索処理（ステップＳ１）にて表示部１６に出力させた携帯端末の内のどれかであるかを判別する。
【００４６】
希望録画先が携帯端末２であれば、制御部１１は、携帯端末録画予約設定処理（ステップＡ１）に処理を移す。
希望録画先が録画装置１であれば。制御部１１は、録画装置録画予約設定処理（ステップＢ１）に移行する。
【００４７】
以下、図５及び６を参照して、携帯端末録画予約設定処理（ステップＡ１）、及び、録画装置録画予約設定処理（ステップＢ１）、の各処理について説明する。
【００４８】
先ず、図５を参照して、携帯端末録画予約設定処理（ステップＡ１）について説明する。
【００４９】
携帯端末録画予約設定処理（ステップＡ１）のフローの処理は、ユーザが入力部１４を介して、番組予約情報を入力すると共に、番組予約情報に従って番組を録画する録画元及びバックアップ録画先を選択することにより起動される。
ここでは、ユーザは、録画元として携帯端末２、バックアップ録画先として録画装置１、を選択したものとする。
【００５０】
番組予約情報と番組予約情報が示す番組の録画元及びバックアップ録画先とが入力部１４により入力されると、無線ＬＡＮ通信部１３は、録画元である携帯端末２に番組予約情報を送信する（ステップＡ１１）。
【００５１】
無線ＬＡＮ通信部１３は、送信した録画予約情報による携帯端末２の録画の設定処理が成功したか否かを示す結果を携帯端末２から受け取り、受け取った結果に基づいて、携帯端末２の録画設定の成否を判別する（ステップＡ１２）。
携帯端末２による録画設定が成功しなかった場合（ステップＡ１２；Ｎｏ）、録画設定が正しく設定できなかったことを示すメッセージを表示部１６に出力させる（ステップＡ１３）。
【００５２】
携帯端末２による録画設定が成功した場合（ステップＡ１２；Ｙｅｓ）、制御部１１は、記憶部１５が記憶した録画予約情報を参照して、携帯端末２に録画設定された録画予約情報に従って番組の録画が可能か否かを判別する（ステップＡ１４）。
【００５３】
なお、ステップＡ１４では、携帯端末２により設定が成功した録画予約が、記憶部１５の他の録画予約と重複していなければ、番組の録画が可能であると判別する。
また、携帯端末２により設定が成功した録画予約が他の録画予約と重複していれば、番組の録画が不可能であると判別する。
【００５４】
携帯端末２に設定した録画予約情報に従った番組の録画が可能であれば（ステップＡ１４；Ｙｅｓ）、記憶部１５は、図３に示すように、番組予約とバックアップ録画先である携帯端末２とを対応付けて、番組予約情報を記憶する（ステップＡ１５）。
また、無線ＬＡＮ通信部１３は、録画予約を設定した携帯端末２に、録画装置１でも同一の録画予約を設定したことを通知して（ステップＡ１６）、携帯端末録画予約設定処理（ステップＡ１）が完了する。
【００５５】
上記説明したように、携帯端末録画予約設定処理（ステップＡ１）によれば、録画元である携帯端末２とバックアップ録画先である録画装置１との双方に、同一の録画予約情報が記憶される。
これにより、同一の録画予約情報に従った番組の録画を、録画装置１及び携帯端末２の双方にて実行できる。
【００５６】
次に、図６を参照して、録画装置録画予約設定処理（ステップＢ１）について説明する。
【００５７】
録画装置録画予約設定処理（ステップＢ１）のフローの処理は、ユーザが入力部１４を介して、番組予約情報を入力すると共に、番組予約情報に従って番組を録画する録画元及びバックアップ録画先を選択することにより起動される。
ここでは、ユーザは、録画元として録画装置１を選択したものとする。
【００５８】
番組予約情報と番組予約情報が示す番組の録画元（録画装置１）とが入力部１４により入力されると、制御部１１は、入力部１４から入力された録画予約情報が示す録画開始時刻から録画終了時刻までの間の時間帯に重複するバックアップ録画予約があるか否かを判別する（ステップＢ１１）。
【００５９】
入力された録画予約に重複するバックアップ録画予約が記憶されていれば（ステップＢ１１；Ｙｅｓ）、記憶部１５は、重複しているバックアップ録画予約に係る番組予約情報を削除する（ステップＢ１２）。
その後、制御部１１は、処理をステップＢ１３に移す。
【００６０】
入力された録画予約に重複するバックアップ録画予約が記憶されていなければ（ステップＢ１１；Ｎｏ）、記憶部１５は、番組予約情報を記憶する（ステップＢ１３）。
【００６１】
番組予約情報が記憶部１５に記憶されると、無線ＬＡＮ通信部１３は端末探索信号を送信して、自己と通信が可能な端末を探索する。
制御部１１は、無線ＬＡＮ通信部１３の探索により無線ＬＡＮ通信部１３との通信が可能な端末が検出されたか否かを判別する（ステップＢ１４）。
通信可能な端末が検出されなければ（ステップＢ１４；Ｎｏ）、制御部１１は、処理を図４のステップＳ３に移して、次の希望録画先が選択されるのを待機する。
【００６２】
通信が可能な携帯端末が検出されたならば（ステップＢ１４；Ｙｅｓ）、制御部１１は、入力部１４からの入力に応答して、バックアップ録画予約を設定させる端末を選択する（ステップＢ１５）。
ここでは、バックアップ用録画予約をする携帯端末として携帯端末２が選択されたものとする。
【００６３】
無線ＬＡＮ通信部１３は、バックアップ録画先として選択された携帯端末２に番組予約情報を送信する（ステップＢ１６）。
また、記憶部１５は、無線ＬＡＮ通信部１３により番組予約情報の送信されたバックアップ録画先（携帯端末２）と、送信された番組予約と、を対応付けて、改めて番組予約情報として記憶する（ステップＢ１７）。
バックアップ録画先と番組予約とが対応付けられた番組予約情報が記憶されると、制御部１１は、録画装置録画予約設定処理（ステップＢ１）を終了する。
【００６４】
上記説明したように、録画装置録画予約設定処理（ステップＢ１）によれば、録画装置１は、録画元として録画装置１が選択された場合に通信可能な端末を探索して、通信可能な端末が検出されたときに検出された端末をバックアップ録画先として選択する。
これにより、番組予約情報をバックアップ録画先となる端末に送信するときの、送信に失敗する可能性を低減することができる。
【００６５】
次に、図７を参照して、録画装置１又は携帯端末２が番組予約情報に従って番組を録画する番組録画処理（ステップＣ１）について説明する。
以下では、録画装置１から番組予約情報を送信したものとして、バックアップ録画先が携帯端末２であるものとして説明する。
【００６６】
図７のフローの処理は、録画装置１又は携帯端末２において、番組予約情報に基づく番組予約の設定が完了されたことにより起動される。
番組予約の設定が完了されると、制御部１１は、タイマ（図示せず）から現在時刻を取得して、記憶部１５に番組予約情報が示す録画開始時刻になったか否かを判別する（ステップＣ１１）。
【００６７】
現在時刻が録画開始時刻に達したならば（ステップＣ１１；Ｙｅｓ）、制御部１１は、チューナ１２に番組予約情報が示す番組の受信を開始させると共に、受信された番組の録画を開始する（ステップＣ１２）。
ステップＣ１２において、録画された番組のデータは記憶部１５に記憶される。
【００６８】
番組の録画を開始すると、制御部１１は、タイマ（図示せず）から現在時刻を取得して、記憶部１５に番組予約情報が示す録画終了時刻になったか否かを判別する（ステップＣ１３）。
録画終了時刻に達していなければ（ステップＣ１３；Ｎｏ）、制御部１１は、番組の録画を継続する。
【００６９】
現在時刻が録画開始時刻に達したならば（ステップＣ１３；Ｙｅｓ）、制御部１１は、チューナ１２に番組予約情報が示す番組の受信を終了させると共に、受信された番組の録画を終了する（ステップＣ１４）。
【００７０】
制御部１１は、ステップＣ１４による番組の録画が終了すると、番組予約情報に従って録画が成功したか否かを判別する（ステップＣ１５）。
録画が成功しない場合とは、例えば、番組の録画開始時刻から録画終了時刻までの間における録画した番組データに欠損がある場合、録画開始時刻から録画終了時刻までの間に動作用電力が供給されなかった場合、等である。
【００７１】
録画が成功していなければ（ステップＣ１５；Ｎｏ）、制御部１１は、記憶部１５の番組予約情報を参照して、番組の録画に失敗した番組予約に従って録画を実行するバックアップ録画先が存在するか否かを判別する（ステップＣ１６）。
バックアップ録画先が存在しなければ（ステップＣ１６；Ｎｏ）、処理を終了する。
【００７２】
バックアップ録画先が存在していれば（ステップＣ１６；Ｙｅｓ）、バックアップ録画先の端末に、番組の録画に失敗した番組予約に係る番組のデータを送信するように要求して（ステップＣ１７）、バックアップ録画先から番組のデータを取得する。
バックアップ録画先からの番組データの取得が完了すると、制御部１１は番組録画処理（ステップＣ１）を終了する。
【００７３】
上記説明したように、番組録画処理（ステップＣ１）によれば、録画装置１は、番組予約情報に従った番組の録画に失敗した場合でも、バックアップ録画先による録画が行われていれば録画に失敗した番組データの送信をバックアップ録画先に要求する。
これにより、録画装置１が番組の録画に失敗した場合でも、録画装置１はその番組のデータを取得することができる。
【００７４】
次に、図８を参照して、携帯端末２が録画装置１から番組予約録情報を受信する予約情報受信処理（ステップＤ４）について説明する。
前提として、携帯端末２は、録画装置１から送信された端末探索信号に応答して、録画装置１との通信が可能であることを録画装置１に通知しているものとする。
【００７５】
予約情報受信処理（ステップＤ４）のフローの処理は、入力部１４により入力された番組予約情報が録画装置１により送信されて、携帯端末２が受信することにより起動される。
【００７６】
無線ＬＡＮ通信部２３が番組予約情報を受信すると、制御部２１は、記憶部２５の番組予約情報を参照して、受信した番組予約情報が示す録画開始時刻から録画終了時刻までの間の時間帯に重複する録画予約があるか否かを判別する（ステップＤ１１）。
【００７７】
受信した録画予約に重複する番組予約情報が記憶されていなければ（ステップＤ１１；Ｎｏ）、記憶部２５は、番組予約情報を記憶する（ステップＤ１５）。
番組予約情報が記憶部２５に記憶されると、無線ＬＡＮ通信部２３は、録画装置１から受信した番組予約情報に従った録画予約の設定が成功したことを録画装置１に通知する（ステップＤ１６）。
【００７８】
一方、受信した番組予約情報の録画予約の時間帯に重複する番組予約情報が記憶部２５に記憶されていれば（ステップＤ１１；Ｙｅｓ）、制御部２１は、記憶されている番組予約情報がバックアップ録画予約であるか否かを判別する（ステップＤ１２）。
【００７９】
バックアップ録画予約でなければ（ステップＤ１２；Ｎｏ）、録画装置１から受信した番組予約情報を記憶部２５に記憶させずに、無線ＬＡＮ通信部２３は、受信した番組予約情報に従った録画予約の設定に失敗したことを録画装置１に通知する（ステップＤ１３）。
【００８０】
記憶部２５の番組予約情報がバックアップ録画予約であれば（ステップＤ１２；Ｙｅｓ）、記憶部２５は、重複しているバックアップ録画予約に係る番組予約情報を削除する（ステップＤ１４）。
【００８１】
記憶部１５は、番組予約情報を削除すると、録画装置１から受信した番組予約情報を記憶する（ステップＤ１５）。
番組予約情報が記憶部２５に記憶されると、無線ＬＡＮ通信部２３は、録画装置１から受信した番組予約情報に従った録画予約の設定が成功したことを録画装置１に通知する（ステップＤ１６）。
【００８２】
上記説明したように、予約情報受信処理（ステップＤ４）によれば、携帯端末２は録画装置１から受信した、同一の録画予約情報が記憶される。
これにより、同一の録画予約情報に従った番組の録画を、録画装置１及び携帯端末２の双方にて実行できる。
【００８３】
また、携帯端末２は、自己を録画元として指定された番組予約情報の時間帯に重複する録画予約が既に設定されていても、既に設定されている録画予約がバックアップ録画予約であった場合には、バックアップ録画予約を削除して自己が録画元とする録画予約を設定する。
これにより、携帯端末２は、自己が録画元として指定された録画予約を優先して実行することができる。
【００８４】
以下、本発明の実施形態の変形例について説明する。
【００８５】
入力部１４は、キーパッド又はリモートコントロールに限られることなく、タッチパネル、キーボード、マウス、音声入力、等であってもよい。
【００８６】
また、録画装置１と携帯端末２との間の通信は無線ＬＡＮを使用した通信に限られることなく、例えば、有線ＬＡＮ、ＣＤＭＡ（Wideband Code Division Multiple Access）等の携帯無線システム、赤外線通信、ＷｉＭＡＸ、Bluetooth（登録商標）、ＵＷＢ（Ultra Wide Band）、等の任意のデータ通信方式を使用してもよい。
【００８７】
また、無線ＬＡＮ通信部１３、無線ＬＡＮ通信部２３は、ＰＣカードやＣＦカード、ＵＳＢ（Universal Serial Bus）、ＳＤＩＯ（Secure Digital Input/Output）、等のインターフェースを介して、録画装置１、携帯端末２と接続されていてもよい。
【００８８】
記憶部１５又は記憶部２５は、フラッシュメモリ、ＲＡＭ（Random Access Memory）、等の内蔵されたメモリに限られることなく、着脱可能なメモリカード等の外部メモリから構成されていてもよい。
【００８９】
バックアップ録画予約を設定した端末が記憶部１５に記憶されていない場合、若しくは、バックアップ録画予約を設定した携帯端末２が記憶部１５に記憶されていても番組データを受信できない場合、無線ＬＡＮ通信部１３により通信が可能な他の機器に録画予約した番組データの送信を要求してもよい。
【００９０】
バックアップ録画を実行させるバックアップ録画先は、ユーザによる選択に限られることなく、制御部１１により選択されるようにしてもよい。
更に、制御部１１によりバックアップ録画先を選択させる場合、例えば、無線ＬＡＮ通信部１３による通信可能な端末の探索において電波受信強度が所定値以上である端末の内から選択するようにしてもよく、ランダムに選択してもよい。
【００９１】
また、バックアップ録画予約を行わせる携帯端末として、複数の携帯端末を選択するようにしてもよい。
これにより、バックアップ録画を実行する端末の冗長性が向上され、番組が録画されない可能性をより低減することができる。
【００９２】
本発明に係る録画装置１及び携帯端末２は、専用のシステムによらず、通常のコンピュータシステムを用いて実現可能である。
例えば、上述の動作を実行するためのプログラムを、コンピュータシステムが読取可能な記録媒体（フレキシブルディスク、ＣＤ−ＲＯＭ、ＤＶＤ−ＲＯＭ等）に格納して配布し、当該プログラムをコンピュータシステムにインストールすることにより、上述の処理を実行する録画装置１、携帯端末２を構成してもよい。
また、インターネット等の通信ネットワーク上のサーバ装置が有するストレージに当該プログラムを格納しておき、通常のコンピュータシステムがダウンロード等することで携帯端末２を構成してもよい。
【００９３】
また、上述の機能を、ＯＳ（Operating System）とアプリケーションとの分担、またはＯＳとアプリケーションとの協働により実現する場合などには、アプリケーション部分のみを記録媒体やストレージに格納してもよい。
【００９４】
また、搬送波にプログラムを重畳し、通信ネットワークを介して配信することも可能である。例えば、通信ネットワーク上の掲示板（Bulletin Board System）に前記プログラムを掲示し、ネットワークを介して前記プログラムを配信してもよい。そして、このプログラムを起動し、ＯＳの制御下で、他のアプリケーションプログラムと同様に実行することにより、上述の処理を実行できるように構成してもよい。
【図面の簡単な説明】
【００９５】
【図１】本発明の実施形態に係る録画装置の回路構成を示すブロック図である。
【図２】本発明の実施形態に係る携帯端末の回路構成を示すブロック図である。
【図３】バックアップ録画先の携帯端末と、バックアップ録画の番組予約と、を対応付ける番組予約情報の例を示す図である。
【図４】ユーザの操作に応答して、録画装置及び携帯端末のどちらにより番組の録画を実行するか選択する動作を示すフローチャートである。
【図５】携帯端末が録画予約を設定する動作を示すフローチャートである。
【図６】録画装置が録画予約を設定する動作を示すフローチャートである。
【図７】録画装置又は携帯端末が、番組予約情報に従って番組を録画する動作を示すフローチャートである。
【図８】携帯端末が、受信した番組予約情報に従った録画予約の成否を録画装置に通知する動作を示すフローチャートである。
【符号の説明】
【００９６】
１…録画装置、１１…制御部、１２…チューナ、１２１…アンテナ、１３…無線ＬＡＮ通信部、１３１…アンテナ、１４…入力部、１５…記憶部、１６…表示部、１７…音声出力部、１８…バス
２…携帯端末、２１…制御部、２２…チューナ、２２１…アンテナ、２３…無線ＬＡＮ通信部、２３１…アンテナ、２４…入力部、２５…記憶部、２６…表示部、２７…音声出力部、２８…バス
【図１】
2008219725.tif 000003
【図２】
2008219725.tif 000004
【図３】
2008219725.tif 000005
【図４】
2008219725.tif 000006
【図５】
2008219725.tif 000007
【図６】
2008219725.tif 000008
【図７】
2008219725.tif 000009
【図８】
2008219725.tif 000010